(57)【特許請求の範囲】
【請求項１】
パネルに形成された表示開口部のパネル裏面側に配置される表示部材において、
底面に挿通穴が形成されていると共に、底面と反対側の面が開放して設けられ、内部に空間部を有すると共に黒色に塗装されているホルダーと、
上記空間部に配置されて上記ホルダーの底面に取り付けられる液晶基板と、
上記液晶基板を照らす照明手段と、
上記液晶基板が存する側とは反対側の上記ホルダーの外面に取り付けられると共に、上記挿通穴を覆うように設けられる透明部材と、
を具備し、さらに、
上記ホルダーの底面の外面には、上記透明部材を取付固定する透明部材取付部と、この透明部材取付部と上記挿通穴の間に設けられ、上記ホルダーの底面の外面をそのまま露出させる外面露出部とが設けられ、
上記挿通穴は、上記外面露出部よりも小さく設けられている、
ことを特徴とする表示部材。
【請求項２】
前記透明部材は、略０．５〜２．０ｍｍ程度の肉厚に形成されていることを特徴とする請求項１記載の表示部材。
【発明の詳細な説明】
【０００１】
【発明の属する技術分野】
本発明は、フロントグラス等の透明部材を取付固定する表示部材に関する。
【０００２】
【従来の技術】
カーオーディオ等のオーディオ装置５０では、図３に示すように、操作情報を表示するための表示部５２が所定の位置（カーオーディオでは、一般にパネル５１の中央部）に設けられている。この表示部５２は、パネル５１に表示開口部５３を形成すると共に、このパネル５１の裏面側に液晶基板６２等からなる、図５及び図６に示すような表示部材６０を配置している。
【０００３】
ここで、図５に示すように、パネル５１の表示開口部５３には、フロントグラス５４が一般に取り付けられている。かかるフロントグラス５４は、オーディオ装置５０内部側に埃等の進入を防ぎ、内部構造物を損傷等から保護する役割を有している。このフロントグラス５４において、回路基板等の内部構造物が操作者から見えてしまうと、外観上好ましくない。そこで、表示部５２以外の内部構造物が見えないようにするため、図３に示すように、フロントグラス５４の周縁部に黒シルク等を施した黒シルク処理部５５を設けている。
【０００４】
この図５においては、フロントグラス５４はパネル５１の裏面側に貼付されて取り付けられているが、かかるフロントグラス５４の貼付される部分である糊代よりも内側の部分に飛び出るように黒シルク処理部５５が存している。
【０００５】
また、液晶基板６２を使用して表示を行う場合、図６に示すように、金属からなるホルダー６１に液晶基板６２を取り付けている。このホルダー６１は、底面（図６において、最も手前側の面）に挿通穴が形成された長尺状の箱体に形成されている。そして、このホルダー６１に液晶基板を嵌め込むと、挿通穴を通して液晶基板を見ることができる状態となる。液晶基板をホルダー６１に取り付けた後には、液晶基板の差込み側から照明手段として導光板６３等を取り付けている。それによって、ホルダー６１、液晶基板６２及び導光板６３等からなる表示部材６０が構成される。
【０００６】
この表示部材６０は、図５に示すようにパネル５１に貼付されたフロントグラス５４又はパネル５１に対して、直接取り付けられずに所定の間隙を有して近接した状態で対向配置される。そして、フロントグラス５４又はパネル５１の裏側にクッション７０等を貼り付け、このクッション７０等をホルダー６１に接触させる。それによって、フロントグラス５４又はパネル５１とホルダー６１との間に生じる隙間からゴミ等の侵入を防止し、液晶基板６２にゴミ等が付着するのを防止している。
【０００７】
【発明が解決しようとする課題】
ところで、フロントグラス５４に黒シルク等を印刷処理して黒シルク処理部５５を形成する場合、印刷処理のために版下フィルムや位置決め治具等の道具が必要となる。それゆえ、フロントグラス５４に黒シルク処理部５５を形成する場合はコストが掛かり、それ故コスト面から好ましくない処理である。また、フロントグラス５４やパネル５１へのクッション７０等の貼付は、コストや手間が掛かるものとなっている。
【０００８】
さらに、フロントグラス５４やパネル５１の形状が略矩形状を為していて、縁部に沿ってきれいに幅狭のクッション７０等を貼付するのは非常に難しく、難易度が高い。このため、印刷処理により黒シルク処理部５５を形成することや、クッション７０等の貼付を省略でき、かつ見栄えが良いフロントグラス取付構造が望まれている。
【０００９】
本発明は上記の事情にもとづきなされたもので、その目的とするところは、黒シルク処理やクッション等の貼付を省略すると共に、見栄えが良い表示部材を提供しようとするものである。
【００１０】
【課題を解決するための手段】
上記課題を解決するために、本発明の表示部材は、パネルに形成された表示開口部のパネル裏面側に配置される表示部材において、底面に挿通穴が形成されていると共に、底面と反対側の面が開放して設けられ、内部に空間部を有すると共に黒色に塗装されているホルダーと、空間部に配置されてホルダーの底面に取り付けられる液晶基板と、液晶基板を照らす照明手段と、液晶基板が存する側とは反対側のホルダーの外面に取り付けられると共に、挿通穴を覆うように設けられる透明部材と、を具備し、さらに、ホルダーの底面の外面には、透明部材を取付固定する透明部材取付部と、この透明部材取付部と挿通穴の間に設けられ、ホルダーの底面の外面をそのまま露出させる外面露出部とが設けられ、挿通穴は、外面露出部よりも小さく設けられているものである。
【００１１】
このようにしたことで、ホルダーの底面に液晶基板が取り付けられ、ホルダーを挟んで液晶基板と反対側の位置のホルダー外面に、挿通穴を覆う状態で透明部材が取り付けられる。それによって、液晶基板に対してゴミ等が付着するのを防止できる。また、かかる表示部材をパネル等に取り付けると、従来必要とされていた透明部材とパネルとの間に配置するクッション等の貼付を必要としなくなる。それによって、組み付け工数を削減し、コストを削減することが可能となる。また、透明部材取付部に対して透明部材が直接取付固定される。すると、表示開口部と透明部材取付部との間が取付固定に関与しない外面露出部となる。この外面露出部は、パネルに表示部材を取付固定した場合に、外部に露出する部分であり、この外面露出部の形状及び色がそのまま露出する。そのため、ホルダーの外面露出部に適宜の塗装等を施すことによって、従来の透明部材に対する黒シルク処理と同等の外見を有することとなる。それによって、黒シルク処理に必要な版下フィルムや位置決め治具、或いはこれらに伴って生じる工数を省くことが可能となり、従来の黒シルク処理と同等の外見を有しながら一層のコスト削減を図ることが可能となる。
【００１２】
また、他の発明は、上述の発明に加えて更に、透明部材は、略０．５〜２．０ｍｍ程度に形成されているものである。すなわち、従来のように、透明部材をパネルの表示開口部に取付固定する場合には、透明部材の強度維持のため、略３ｍｍ程度の肉厚が必要であった。しかしながら、ホルダーに直接透明部材を取り付けるため、ホルダーの強度が十分であれば透明部材の強度はさほど強度を有してなくても構わない。このように、ホルダーに透明部材を直接取付固定することにより、透明部材の肉厚を低減でき、それによってコストの削減を図ることが可能となる。
【００１７】
【発明の実施の形態】
以下、本発明の一実施の形態について、図１から図４に基いて説明する。図１は、本発明のオーディオ装置１０のパネル１１付近の構成を示す断面図である。パネル１１は、例えば自動車のインパネに露出する部分であり、カーオーディオ等のオーディオ装置の前面側に取り付けられるものである。このパネル１１は、その材質をプラスチック等の樹脂としている。また、パネル１１の正面形状は、略矩形状に形成された細長となっている。
【００１８】
このパネル１１には、図３の正面図に示すように、各種操作ボタン１２が特にこの図中の長手方向両端側に設けられている。これら各種操作ボタン１２は、パネル１１に形成されている穴部１３を通過して露出しているものである。すなわち、各種操作ボタン１２は、パネル１１の裏面側（操作者が操作する表面とは反対側の面）に位置し、この裏面側から穴部１２に差し込まれる。それよって、これら各種操作ボタンは、パネル１１の表面に露出している。
【００１９】
パネル１１には、このパネル１１の長手方向の略中央部（図３参照）に、表示開口部１４が形成されている。この表示開口部１４は、パネル１１を貫通するように形成されていると共に、パネル１１の長手方向と同一方向に長手方向を有するように形成されている。なお、上述のパネル１１においては、図３中の上方にＭＤ等のディスク差込口１５が形成されているため、表示開口部１４は、この図に示すようにパネル１１のやや下方に形成されている。
【００２０】
この表示開口部１４の裏面側には、図１及び図２に示すように、ホルダー２１、液晶基板２２、照明手段の一部としての導光板２３、及び透明部材としてのフロントグラス２４からなる表示部材２０が配置される。このうち、ホルダー２１には、図２に示すように、底面２１ａに矩形状に形成された長尺の挿通穴２５が形成されている。また、ホルダー２１は、内部に空間部２６が形成された長尺状の箱体であり、底面２１ａと反対側の面が開放して設けられている。そして、この開放部分から液晶基板２２が空間部２６内部に嵌め込まれ、取り付けられる。また、液晶基板２２が取り付けられた後に、導光板２３が液晶基板２２に対して取り付けられる。
【００２１】
ホルダー２１は、例えば黒色等に塗装されている。また、図４の正面図に示すように、該ホルダー２１の外面側であって挿通穴２５から所定だけ離間した部分（通常は、外縁側）がフロントグラス２４を取り付ける、透明部材取付部としてのフロントグラス取付部２７となっている。このフロントグラス取付部２７には、例えば両面テープが貼付される。それによって、このフロントグラス取付部２７にフロントグラス２４が貼付固定され、該ホルダー２１の底面２１ａを挟んで液晶基板２２と対向する位置にフロントグラス２４が取付固定されることとなる。
【００２２】
なお、フロントグラス２４は、フロントグラス取付部２７より若干外形が小さく形成されており、両面テープ等の固定部分はフロントグラス取付部２７の全面ではなく中央側の一部のみに設けられている。しかしながら、このフロントグラス取付部２７の全面に固定部材を設けるようにしても良い。
【００２３】
また、このフロントグラス２４のホルダー２１に対する取り付けにより、該フロントグラス２４は挿通穴２５を覆うように設けられる。それによって、液晶基板２２にゴミ等が付着するのを防止している。なお、フロントグラス２４は、その材質を例えばアクリル等の透明樹脂としている。また、ホルダー２１のフロントグラス取付部２７にフロントグラス２４が直接貼付固定される構成のため、フロントグラス２４はその肉厚が薄く（略１ｍｍ程度）形成されている。
【００２４】
また、フロントグラス２４の肉厚は、略１ｍｍ程度には限られず、従来のフロントグラスよりも薄くしたい場合には、略０．５ｍｍ〜２ｍｍ程度にするのが好ましい。また、特に薄くする必要がない場合、フロントグラス２４を従来の肉厚にしておいても構わない。
【００２５】
図４に示すように、ホルダー２１のうち、フロントグラス取付部２７と挿通穴２５の間の部分は、外面露出部２８となっている。この外面露出部２８は、後述するように表示部材２０がパネル１１の表示開口部１４の裏面側に配置された場合に、該表示開口部１４を介して外部に露出する部分である。表示部材２０をパネル１１の裏面側に配置した場合、ホルダー２１の色（上述の例では、黒色）及び形状が、フロントグラス２４を透過して、そのまま露出する。
【００２６】
ここで、外面露出部２８が外部に露出するようにすると、外面露出部２８を外部へ露出させるために挿通穴２５が一般に小さくなる。しかしながら、挿通穴２５が小さく設けられても、後述する如く液晶基板２２（表示部材２０）が操作者側に配置されるので、視野角度を大きく取ることが可能となる。
【００２７】
このような構成の表示部材２０が、表示開口部１４の裏面側に配置される。なお、表示開口部１４を構成するパネル１１の開口縁部１４ａとフロントグラス２４の間は、直接接着されるものではない。すなわち、表示部材２０は、パネル１１のうち不図示の別途の部分に取付固定される。そして、この取付固定の結果、開口縁部１４ａとフロントグラス２４の間がほとんど隙間を有さずに、表示開口部１４の裏面側に配置される。
【００２８】
なお、ホルダー２１の取付固定の一例としては、不図示の回路基板にホルダー２１が取付固定される。この回路基板には、複数の発光手段としてのＬＥＤ（ｌｉｇｈｔ  ｅｍｉｔｔｉｎｇ  ｄｉｏｄｅ；発光ダイオード）が取り付けられており、かかるＬＥＤにて発光した光をホルダー２１の空間部２６に存する導光板２３で拡散させている。それにより、液晶基板２２が明るく表示される。
【００２９】
以上のような構成を有する表示部材２０、及びオーディオ装置１０によれば、ホルダー２１の底面２１ａに液晶基板２２が取り付けられ、ホルダー２１を挟んで液晶基板２２とは反対側のホルダー２２の外面に、挿通穴２５を覆う状態でフロントグラス２４が取り付けられる。このように、挿通穴２５がフロントグラス２４で覆われることにより、液晶基板２２に対してゴミ等が付着するのを防止できる。
【００３０】
また、かかる表示部材２０をパネル１１等に取り付けると、従来必要とされていたパネル１１とフロントグラス２４の間に存するクッション等が不要となり、さらにクッション等の貼付作業も必要としなくなる。それによって、組み付け工数を削減し、コストを削減することが可能となる。
【００３１】
さらに、上述の如くフロントグラス２４をホルダー２１の外面に直接貼付するため、従来のフロントグラス（アクリル板の場合、略３ｍｍ程度）と比較して、フロントグラス２４の肉厚を薄くする（略１ｍｍ程度）ことが可能となる。このように、本発明では、ホルダー２１に直接フロントグラス２４を貼付するので、ホルダー２１の強度が十分である限り、フロントグラス２４の強度が十分でなくても良い。このため、フロントグラス２４の肉厚を低減でき、それによりコストの低減を図ることが可能となる。
【００３２】
また、ホルダー２１の所定位置（外縁側）には、フロントグラス取付部２７を形成しており、さらにこのフロントグラス取付部２７と挿通穴２５の間の部分は、外面露出部２８となっている。このため、ホルダー２１に対してフロントグラス２４はフロントグラス取付部２７によって両面テープ等で取付固定される。
【００３３】
そして、フロントグラス取付部２７と挿通穴２５の間の部分が外面露出部２８となるので、この外面露出部２８の形状や色がそのまま表示開口部１４を介してそのまま外部に露出する。それによって、ホルダー２１に対して例えば黒色の塗装を施すことで、従来のフロントグラスに対する黒シルク処理と同様の外見を有することとなる。このため、黒シルク処理に必要な版下フィルムや位置決め治具、或いはこれらに伴って生じる工数を省くことが可能となり、従来の黒シルク処理を施したフロントグラスと同等の外見を有しながら一層のコスト削減を図ることが可能となる。
【００３４】
また、ホルダー２１がＬＥＤを具備する回路基板に取付固定されることで、表示部材が回路基板に取付固定される。この場合、導光板２３がＬＥＤに近接して設けられる。それによって、ＬＥＤで発せられる光が導光板２３で採光され、採光された光が液晶基板２２を照射する。このため、液晶基板２２を明るく表示させることが可能となる。
【００３５】
また、パネル１１に回路基板が取付固定されることで、表示部材２０のパネル１１に対する取付固定を為すことができる。パネル１１に表示部材２０が取付固定されると、パネル１１の表示開口部１４を介して液晶基板２２で表示される操作情報を操作者が閲覧可能となる。しかも、表示部材２０と表示開口部１４の間にクッション等が介在しないため、明るい表示部材２０を表示開口部１４に対してより手前側に位置させることが可能となる。このように、液晶基板２２がより手前側に位置することにより、液晶基板２２が見易くなり、奥側に液晶基板２２が位置している場合よりも視野角度が大きくなる。
【００３６】
また、開口縁部１４ａに近接してフロントグラス２４が配置されているので、フロントグラス２４が表示開口部１４に取り付けられている如き外観を奏し、従来の表示開口部付近の外観と何等変わりないものとなる。また、表示部材２０がより手前側に位置することとなり、フロントグラス２４と表示開口部１４の開口縁部１４ａとの間の隙間が低減される。これにより、オーディオ装置１０内にゴミ等が入るのを一層防止できる。
【００３７】
以上、本発明の実施の形態について説明したが、本発明はこれ以外にも種々変形可能となっている。以下それについて述べる。
【００３８】
上述の実施の形態においては、黒色に塗装されたホルダー２１を用いた場合について説明したが、本発明はこれには限られず、ホルダー２１の塗装はどのような色であっても構わない。また、挿通穴２５の開口形状も、上述の実施の形態では矩形状としているが、この形状も種々変形可能である。また、挿通穴２５の開口大きさも種々変更可能である。さらに、フロントグラス２４の材質も、アクリル板には限られず、ガラス等、他の材質を用いることも勿論可能である。
【００３９】
また、ＬＥＤの代わりに、ランプ等の他の発光手段を用いても良い。さらに、導光板２３を設けずに、発光手段によって直接液晶基板２２を照らすようにしても良い。また、発光手段を含む一切の照明手段を設けず、液晶表示を行わせるようにしても良く、液晶表示の代わりに蛍光表示等の他の表示手段を採用しても良い。この場合、液晶基板２２の代わりに他の表示手段が配置されることとなる。
【００４０】
【発明の効果】
以上説明したように、本発明によると、ホルダーの底面に液晶基板が取り付けられ、ホルダーを挟んで液晶基板と反対側の位置のホルダー外面に、挿通穴を覆う状態で透明部材が取り付けられる。それによって、液晶基板に対してゴミ等が付着するのを防止できる。また、かかる表示部材をパネル等に取り付けると、従来必要とされていた透明部材とパネルとの間に配置するクッション等の貼付を必要としなくなる。それによって、組み付け工数を削減し、コストを削減することが可能となる。
【００４１】
また、透明部材取付部に対して透明部材が直接取付固定されると、外面露出部の形状及び色がそのまま外部に露出する。そのため、ホルダーの外面露出部に適宜の塗装等を施すことによって、従来の透明部材に対する黒シルク処理と同等の外見を有することとなる。それによって、黒シルク処理に必要な版下フィルムや位置決め治具、或いはこれらに伴って生じる工数を省くことが可能となり、従来の黒シルク処理と同等の外見を有しながら一層のコスト削減を図ることが可能となる。
【図面の簡単な説明】
【図１】本発明の一実施の形態に係わるオーディオ装置のパネル付近の構成を示す側断面図である。
【図２】図１のオーディオ装置において、表示部材の構成を示す分解斜視図である。
【図３】図１のオーディオ装置において、パネルの正面図を示すものであり、また従来のオーディオ装置における正面図を示すものでもある。
【図４】図１のオーディオ装置において、ホルダーの形状を示す正面図である。
【図５】従来のオーディオ装置のパネル付近の構成を示す側断面図である。
【図６】従来のオーディオ装置において、表示部材の構成を示す分解斜視図である。
【図７】従来のオーディオ装置において、クッションの形状を示す斜視図である。
【符号の説明】
１０…オーディオ装置
１１…パネル
１４…表示開口部
２０…表示部材
２１…ホルダー
２２…液晶基板
２３…導光板（照明手段の一部）
２４…フロントグラス（透明部材）
２５…挿通穴
２６…空間部
２７…フロントグラス取付部（透明部材取付部）
２８…外面露出部
【図１】
0003696110.tif 000002
【図２】
0003696110.tif 000003
【図３】
0003696110.tif 000004
【図４】
0003696110.tif 000005
【図５】
0003696110.tif 000006
【図６】
0003696110.tif 000007
【図７】
0003696110.tif 000008